(57)【要約】【課題】ＡＬＣ壁パネルをコンクリート床スラブに立設して強固に固定されるＡＬＣ壁パネルおよびその床スラブへの固定構造、並びに固定方法を提供する。【解決手段】棒状アンカーの一方端がＡＬＣ壁パネル内の補強鉄筋に直接または間接的に係合されているとともに、その他方端がＡＬＣ壁パネルの下方小口面から突出しているＡＬＣ壁パネル、および、その突出した他方端が床スラブ内に植設固定されることによりＡＬＣ壁パネルが床スラブに立設固定されている固定構造とした。【選択図】図１
2004339890.tif 000002
【特許請求の範囲】
【請求項１】
床スラブに立設して固定されるＡＬＣ壁パネルであって、該ＡＬＣ壁パネルに棒状アンカーの一方端が埋設されているとともに、他方端が前記ＡＬＣ壁パネルの下方小口面から突出していることを特徴とするＡＬＣ壁パネル。
【請求項２】
前記ＡＬＣ壁パネル内に埋設された補強鉄筋に、直接または間接的に棒状アンカーの一方端が係合されている請求項１記載のＡＬＣ壁パネル。
【請求項３】
前記棒状アンカーの一方端は、補強鉄筋に緊結された埋設部材に固着された係合部材に係合されている請求項２記載のＡＬＣ壁パネル。
【請求項４】
前記係合部材は、下方小口面に向かって開口し、棒状アンカーが螺合される長ナットである請求項３記載のＡＬＣ壁パネル。
【請求項５】
前記棒状アンカーは、長尺ボルトである請求項４記載のＡＬＣ壁パネル。
【請求項６】
請求項１〜５記載のＡＬＣ壁パネルにおける棒状アンカーの他方端が、床スラブまたはその立ち上がり部に植設固定されていることを特徴とするＡＬＣ壁パネルの固定構造。
【請求項７】
請求項４または５記載のＡＬＣ壁パネルを床スラブに立設させて固定するＡＬＣ壁パネルの固定方法において、
１）床スラブの上面へ立ち上がり部を形成するための型枠内にＡＬＣ壁パネルの前記棒状アンカーの他方端を配置するとともに、その他方端を床スラブ上面に当接させた状態でＡＬＣ壁パネルを立設させる工程、
２）前記棒状アンカーを回転させることにより前記ＡＬＣ壁パネルの高さ調整をする工程、
３）前記型枠内にモルタルを注入充填する工程、
４）前記床スラブの立ち上がり部の上面にＡＬＣ壁パネルの下方小口面を当接させてモルタル養生する工程、
を順次行うことを特徴とするＡＬＣ壁パネルの固定方法。
【発明の詳細な説明】
【０００１】
【発明の属する技術分野】
本発明は、コンクリート床スラブに立設して固定されるＡＬＣ壁パネルおよびその床スラブへの固定構造、並びに固定方法に関するものである。
【０００２】
【従来の技術】
ＡＬＣ壁パネルをコンクリート床スラブに立設させて、パネル下部を床スラブに固定する構造が、特開平１１−１７２８２３号公報（特許文献１）に開示されている。
その固定構造は、図４に示すように、ＡＬＣパネル１０の下部が床スラブ６へ固定金具１１により固定される。
固定金具１１は、矩形鋼板の下端を３分割して外側両片と内側片とが対向するように折曲形成されており、外側両片は固定金具１１を床スラブ６に固定する固定片１１ｂとして、また、内側片はパネルの下方小口面を載置するパネル載置片１１ｃとして作用する。また、固定片１１ｂおよびパネル載置片１１ｃ以外の部分は、当接片１１ａとしてＡＬＣパネル１０の壁面１０ａに当接固定される。
【０００３】
ＡＬＣパネル１０は、その下方小口面の幅方向中央部が固定金具１１のパネル載置片１１ｃにより載置・支持される。
また、当接片１１ａがＡＬＣパネルの壁面１０ａに当接された状態で、孔１１ｄを挿通したボルト１２がパネル１０のアンカー（図示せず）に螺合されることにより、固定金具１１がパネル１０の下部に取付けられる。
そして、コンクリート釘１３が固定片１１ｂを貫通して床スラブ６の上面に打ち込まれることにより、ＡＬＣパネル１０が床スラブ６に固定される。
【０００４】
また、特開平４−３２７６０８号公報（特許文献２）に、建築の基礎部と中空壁パネルとの接合方法が提案されている。
これは、図５に示すように、中空パネル１４の下方小口面から突出したアンカーボルト１９が、コンクリート基礎部１７に設けられた穴部１８へモルタル８により植設されることにより、中空パネル１４が基礎部１７に接合されている。
【０００５】
【特許文献１】
特開平１１−１７２８２３号公報
【０００６】
【特許文献２】
特開平４−３２７６０８号公報
【０００７】
【発明が解決しようとする課題】
しかし、上記固定構造または接合方法には、次の問題点があった。
すなわち、図４に示す固定構造であると、ＡＬＣパネル１０の壁面および下部にボルト１２や固定金具１１が露出するため、固定金具の防錆処理が必要となったり、成形ボード等の内装材により固定金具を覆い隠す必要があった。
このため、仕上げ工数および施工費用を増加させる要因となっていた。
【０００８】
また、図５に示す中空パネル１４の接合方法では、中空パネル１４の内部において、アンカーボルト１９は固定されておらず、ナット１６と螺合されているのみである。
このため、中空パネル１４と基礎部１７との接合作業時に、中空パネル１４の内部でナット１６が枠部材１５から上方へ離れるとともに、アンカーボルト１９が浮き上がった状態になりやすい。
この状態でモルタル８が硬化すると、中空パネル１４と基礎部１７との間に隙間が形成されて、中空パネル１４がガタついた状態で接合固定される。
さらに、このアンカーボルト１９とナット１６による接合構造では、十分なアンカー効果が期待できないため、基礎部１７への中空パネル１４の強固な接合固定ができなかった。
そこで、本発明の目的は上記問題点を解決して  、コンクリート床スラブにＡＬＣ壁パネルを立設して強固に固定できるＡＬＣ壁パネルおよびその床スラブへの固定構造、並びに固定方法を提供することにある。
【０００９】
【課題を解決するための手段】
本発明は、前記課題を解決するために、
床スラブに立設して固定されるＡＬＣ壁パネルであって、該ＡＬＣ壁パネルに棒状アンカーの一方端が埋設されているとともに、他方端が前記ＡＬＣ壁パネルの下方小口面から突出しているＡＬＣ壁パネルを採用した。
さらに、好ましい条件として以下のものがある。
１）ＡＬＣ壁パネル内に埋設された補強鉄筋に、直接または間接的に棒状アンカーの一方端が係合されている。
２）棒状アンカーの一方端は、補強鉄筋に緊結された埋設部材に固着された係合部材に係合されている。
３）係合部材は下方小口面に向かって開口し、棒状アンカーが螺合される長ナットであり、さらに、その棒状アンカーは長尺ボルトである。
また、前記ＡＬＣ壁パネルにおける棒状アンカーの他方端が、床スラブまたはその立ち上がり部に植設固定されているＡＬＣ壁パネルの固定構造とした。
そして、前記ＡＬＣ壁パネルを床スラブに立設させて固定するＡＬＣ壁パネルの固定方法において、
１）床スラブの上面へ立ち上がり部を形成するための型枠内にＡＬＣ壁パネルの前記棒状アンカーの他方端を配置するとともに、その他方端を床スラブ上面に当接させた状態でＡＬＣ壁パネルを立設させる工程、
２）前記棒状アンカーを回転させることにより前記ＡＬＣ壁パネルの高さ調整をする工程、
３）前記型枠内にモルタルを注入充填する工程、
４）前記床スラブの立ち上がり部の上面にＡＬＣ壁パネルの下方小口面を当接させてモルタル養生する工程、
を順次行うＡＬＣ壁パネルの固定方法とした。
【００１０】
【発明の実施の形態】
以下、本発明の実施形態を図１〜図３に基づいて説明する。なお、符号は従来例と同一のものはその符号を付した。
図１は、本発明におけるＡＬＣ壁パネル（以下、パネルという。）の一実施形態を示し、図２および図３は、そのパネルの取付構造の実施形態を示す。
パネル１は、床スラブに立設して固定されるＡＬＣ壁パネルであって、図１に示すように、棒状アンカー５の一方端５ａがパネル１の内部に埋設されているとともに、その他方端５ｂがパネル１の下方小口面１ａから突出している。
【００１１】
このため、パネル１の下方小口面１ａから突出した棒状アンカー５の他方端５ｂをアンカーとして床スラブ内に植設して、パネル１下部を床スラブ６へ強固に固定することができる。
【００１２】
また、棒状アンカーの一方端５ａがパネル１の内部に埋設された補強鉄筋２に、直接または間接的に係合されていると、棒状アンカー５が補強鉄筋２と緊結されるようになるため、外力により棒状アンカー５がパネル１の内部でガタついたり遊動することがなくなり、パネル１下部の床スラブ６への取付け強度がより向上する。
【００１３】
さらに、その棒状アンカー５の一方端が、補強鉄筋２と緊結する埋設部材３に固着された係合部材４に係合していると、棒状アンカー５がパネル１の内部で遊動することがなくなるとともに、棒状アンカー５の脱着及び係合が容易となり、棒状アンカー５を外した状態でパネルを取り扱うことができるようになり好ましい。
これらにより、従来と違って、床スラブに対してパネル１がガタついた状態で取付固定されることがなくなり、パネル１と床スラブ６とが棒状アンカー５により強固に連結されるようになる。
表面に凹凸部を有する鉄筋（異形鉄筋など）を棒状アンカー５として使用することにより、さらに強固に床スラブ６内に植設固定されるようになり好ましい。棒状アンカー５と係合部材４とは、嵌合あるいは螺合による係合が考えられる。
【００１４】
また、パネル１の下方小口面１ａに複数の棒状アンカー５を設けると固定強度が向上して好ましい。さらに、２本または３本の棒状アンカー５を設けることは、パネル１がバランス良く床スラブ６へ固定され、かつ取付強度が確保されるようになり望ましい。
棒状アンカー５の突出部分（床スラブ６に植設される長さ）を５０ｍｍ以上とすることにより、床スラブ６へのアンカー効果が十分に発揮されるようになり好ましい。また、棒状アンカー５の径を９ｍｍ〜１６ｍｍ、より好ましくは１０ｍｍ〜１４ｍｍとすることにより、汎用性、作業性等が向上するとともにそのアンカー効果も十分に発揮されて望ましい。
【００１５】
埋設部材３に固着された係合部材４が、図１に示すように、パネル１の下方小口面１ａに向かって開口し、下方小口面１ａから挿入される棒状アンカーの一方端５ａと螺合可能に配置された長ナット４であると、棒状アンカー５が螺合により係合部材４に強固に係合されるようになる。
これにより、棒状アンカー５とパネル１とがより強固に結合されるとともに、棒状アンカー５を回転させることにより、その突出部分の長さ調整ができるようになる。
すなわち、固定方法の実施形態で詳細説明するように、棒状アンカーの他方端５ｂを床スラブに当接させた状態で、パネル１の高さ調整後にパネル１を床スラブ６へ固定することが可能となる。
【００１６】
図１に示すように、棒状アンカー５が長尺ボルトであると、棒状アンカー５を容易に回転することができるようになる。さらに、長尺ボルト表面の螺刻部および長尺ボルトの頭部が床スラブ６内部で引っ掛かり抜けにくくなるため、棒状アンカー５の引き抜き耐力が増加する。
図１または図２に示すように、埋設部材３がＬ字型プレートであると、Ｌ字型プレートの水平片３ａと補強鉄筋２との緊結、および垂下片３ｂと係止部材４（長ナット）との固着が、Ｌ字型プレートの構造からそれぞれ容易となり望ましい。また、埋設部材３は平板状の介在部材３ｃを介して、補強鉄筋２に固着されていても良い。
【００１７】
また、図２に示すように、棒状アンカー５を備えたパネル１を用いて、その棒状アンカーの他方端５ｂが床スラブ６に植設固定されたパネルの固定構造とすると、パネル１と床スラブ６とが棒状アンカー５により強固に連結されるようになる。そして、パネル１が床スラブ６に対してガタついた状態で取付固定されることもなくなる。
これは、図３に示すように、床スラブ６の立ち上がり部６ａに棒状アンカー５が植設固定された場合も同様である。
【００１８】
床スラブ６に棒状アンカー５を植設してパネル１を固定する方法を次に説明する。
先ず、床スラブ６に凹部６ｂを予め設け、その凹部内へパネル１の棒状アンカー５の他方端５ｂを配置し、さらに、パネル１の下方小口面１ａをスラブ６の上面に当接させて床スラブ６にパネル１を立設する。
そして、その凹部内へモルタル８を注入充填したのち、養生硬化させる。
以上の手順により、床スラブ６に棒状アンカー５が植設固定されたパネル１が床スラブ６に立設して固定される。
モルタルは高流動性および無収縮性に優れたグラウト材であると、床スラブとの密着性が向上して好ましい。
【００１９】
次に、床スラブ６の上面に形成される立ち上がり部６ａに、棒状アンカー５として採用した長尺ボルト５を植設させてパネル１を固定する方法を、図３に基づいて説明する。
先ず、立ち上がり部６ａを形成させるスラブ６の上面に型枠９を配置する。
そして、パネル１の長尺ボルトの他方端５ｂを型枠９内に配置してパネル１を立設させる。このとき、型枠９内の床スラブ６の上面に長尺ボルトの他方端５ｂを当接させる。
【００２０】
この状態で、長尺ボルト５を回転させることによりパネル１の高さおよび水平を調整し、所望の高さ位置にパネル１を設定する。そして、立ち上がり部６ａの上面にパネルの下方小口面１ａが当接するように、型枠９内にモルタル８を注入充填する。
そして、モルタル８を養生することにより、床スラブ６の立ち上がり部６ａにパネル１が立設して固定される。
なお、図３に示す実施形態では、床スラブ６に植設されたアンカー鉄筋７が、立ち上がり部６ａの内部に配設されている。
【００２１】
このパネル１の固定方法によれば、長尺ボルト５を回転させることにより、床スラブ６の立ち上がり部６ａの高さとともにパネル１の設置される高さ位置を調整できる。これにより、所定長さのパネル１を階高にあわせて取付位置を調整し固定することが可能となる。
また、複数の棒状アンカー５が下方小口面１ａに設けられてと、スラブ６の上面の凹凸または傾斜を補正してパネルを水平に取付固定することが可能となる。
【００２２】
【発明の効果】
本発明によれば、パネルが床スラブまたはその立ち上がり部に対してガタついて取付固定されることがなくなり、ＡＬＣ壁パネルと床スラブとが隙間がなく強固に連結されるようになる。
また、パネルの壁面および下部にボルトや固定金具等が露出しないため、それらを覆う隠すための仕上げおよび耐火被覆作業が必要なくなり、長期の耐久性が確保されるようになる。
【図面の簡単な説明】
【図１】本発明のＡＬＣ壁パネルの一実施形態を示す斜視図。
【図２】本発明のＡＬＣ壁パネルの取付構造の実施形態を示す断面図。
【図３】本発明にＡＬＣ壁パネルの取付構造の他の実施形態を示す断面図。
【図４】従来例におけるＡＬＣ壁パネルの取付構造を示す斜視図。
【図５】従来例における壁パネルの基礎部への接合方法を示す説明図。
【符号の説明】
１  ＡＬＣ壁パネル（パネル）
１ａ  下方小口面
２    補強鉄筋
３    埋設部材（Ｌ字型プレート）
３ａ  水平片
３ｂ  垂下片
３ｃ    介在部材
４  係合部材（長ナット）
５  棒状アンカー（長尺ボルト）
５ａ  棒状アンカー（長尺ボルト）の一端部
５ｂ  棒状アンカー（長尺ボルト）の他端部
６    床スラブ
６ａ  立ち上がり部
６ｂ    凹部
７    アンカー鉄筋
８  モルタル
９    型枠
１０  ＡＬＣパネル
１０ａ  壁面
１１    固定金具
１１ａ  当接片
１１ｂ  固定片
１１ｃ  パネル載置片
１２    ボルト
１３    コンクリート釘
１４  中空パネル
１５  枠部材
１６  ナット
１７  基礎部
１８  穴部
１９  アンカーボルト
【図１】
2004339890.tif 000003
【図２】
2004339890.tif 000004
【図３】
2004339890.tif 000005
【図４】
2004339890.tif 000006
【図５】
2004339890.tif 000007